(57)【要約】      （修正有）【課題】シールドケースの強度を強化した電気コネクタを提供する。【解決手段】電気コネクタは、絶縁本体１０、絶縁本体１０を被覆するシールドケース２０及び絶縁本体１０上に固装される端子組を備え、シールドケース２０は内シールドケース２１と外シールドケース２２とからなり、内２１シールドケースが外シールドケース２２に被覆される２層式で、内シールドケース２１と外シールドケース２２にそれぞれ延伸される固定脚２０１、２０２を有する。【選択図】図１
0003177912.tif 000002
【実用新案登録請求の範囲】
【請求項１】
絶縁本体、前記絶縁本体を被覆するシールドケース及び前記絶縁本体上に固装される端子組を備え、前記シールドケースは内シールドケースと外シールドケースとからなり、前記内シールドケースが前記外シールドケースに被覆されるとともに、前記内シールドケースと前記外シールドケースにそれぞれ延伸される固定脚を有する、ことを特徴とする電気コネクタ。
【請求項２】
前記内シールドケースの相対する両側壁の下縁にそれぞれ、少なくとも一つ第１固定脚が延在され、前記外シールドケースの両側壁の下縁にそれぞれ、少なくとも一つ第２固定脚が延在される、ことを特徴とする請求項１に記載の電気コネクタ。
【請求項３】
前記外シールドケースは第２前壁、第２左壁及び第２右壁を有し、前記内シールドケースは前記外シールドケースの前記第２前壁、前記第２左壁及び前記第２右壁に対応して第１前壁、第１左壁及び第１右壁、さらに第１後壁を有し、前記外シールドケースは前記第２前壁、前記第２左壁及び前記第２右壁がそれぞれ前記内シールドケースに前記第１前壁、前記第１左壁及び前記第１右壁を被覆して接着され、また、前記内シールドケースの前記第１左壁及び前記第１右壁の下縁にそれぞれ２つの前記第１固定脚が前後に等間隔に下向きに延在されるとともに、前記外シールドケースの前記第２左壁及び前記第２右壁の下縁にそれぞれ１つの前記第２固定脚が前記各第１固定脚の間で下向きに延在されるＨＤＭＩコネクタである、ことを特徴とする請求項１に記載の電気コネクタ。
【請求項４】
前記外シールドケースは第２前壁、第２左壁及び第２右壁を有し、前記内シールドケースは前記外シールドケースの前記第２前壁、前記第２左壁及び前記第２右壁に対応して第１前壁、第１左壁及び第１右壁、さらに第１後壁を有し、前記外シールドケースは前記第２前壁、前記第２左壁及び前記第２右壁がそれぞれ前記内シールドケースに前記第１前壁、前記第１左壁及び前記第１右壁を被覆して接着され、また、前記外シールドケースの前記第２左壁及び前記第２右壁の下縁にそれぞれ２つの前記第２固定脚が前後に等間隔に下向きに延在されるとともに、前記内シールドケースの前記第１左壁及び前記第１右壁の下縁にそれぞれ１つの前記第１固定脚が前記各第２固定脚の間で下向きに延在されるＨＤＭＩコネクタである、ことを特徴とする請求項１に記載の電気コネクタ。
【請求項５】
前記外シールドケースの前記第２左壁及び前記第２右壁はそれぞれ、止め金を有し、後部側の側縁部が内側向きに曲げられ、前記内シールドケースの前記第１左壁及び前記第１右壁の前記止め金に対応するところにそれぞれ、前記止め金と係合される止め穴が設けられる、ことを特徴とする請求項３又は４に記載の電気コネクタ。
【請求項６】
前記内シールドケースの前記第１前壁に外側向きに第１係止突起が設けられ、前記外シールドケースの前記第２前壁の前記第１係止突起に対応するところに、下向きに開口し前記第１係止突起と係合される第１切欠きが設けられ、前記第１後壁の左右両側にそれぞれ上向きに開口する第２切欠きが設けられ、前記第２左壁及び第２右壁の前記第２切欠きに対応するところにそれぞれ、前記第２切欠きと係合される第２係止突起が設けられる、ことを特徴とする請求項３又は４に記載の電気コネクタ。
【請求項７】
前記内シールドケースの前記第一後壁に外側向きに折り曲げられ延在される固定板を有し、前記固定板に固定穴が設けられる、ことを特徴とする請求項３又は４に記載の電気コネクタ。
【請求項８】
前記外シールドケースは第２前壁、第２後壁、第２左壁及び第２右壁を有し、前記内シールドケースは前記外シールドケースの前記第２前壁、前記第２後壁、前記第２左壁及び前記第２右壁に対応して第１前壁、第１後壁、第１左壁及び第１右壁を有し、前記外シールドケースは前記第２前壁、前記第２後壁、前記第２左壁及び前記第２右壁がそれぞれ前記内シールドケースに前記第１前壁、前記第１後壁、前記第１左壁及び前記第１右壁を被覆して接着され、また、前記内シールドケースの前記第１左壁及び前記第１右壁の下縁にそれぞれ２つの前記第１固定脚が前後に等間隔に下向きに延在されるとともに、前記外シールドケースの前記第２左壁及び前記第２右壁の下縁にそれぞれ１つの前記第２固定脚が前記各第１固定脚の間で下向きに延在されるＨＤＭＩコネクタである、ことを特徴とする請求項１に記載の電気コネクタ。
【請求項９】
前記外シールドケースは第２前壁、第２後壁、第２左壁及び第２右壁を有し、前記内シールドケースは前記外シールドケースの前記第２前壁、前記第２後壁、前記第２左壁及び前記第２右壁に対応して第１前壁、第１後壁、第１左壁及び第１右壁を有し、前記外シールドケースは前記第２前壁、前記第２後壁、前記第２左壁及び前記第２右壁がそれぞれ前記内シールドケースに前記第１前壁、前記第１後壁、前記第１左壁及び前記第１右壁を被覆して接着され、また、前記外シールドケースの前記第２左壁及び前記第２右壁の下縁にそれぞれ２つの前記第２固定脚が前後に等間隔に下向きに延在されるとともに、前記内シールドケースの前記第１左壁及び前記第１右壁の下縁にそれぞれ１つの前記第１固定脚が前記各第２固定脚の間で下向きに延在されるＨＤＭＩコネクタである、ことを特徴とする請求項１に記載の電気コネクタ。
【請求項１０】
前記第２後壁に外側向きに折り曲げられ延在される固定板を有し、前記固定板に固定穴が設けられる、ことを特徴とする請求項８又は９に記載の電気コネクタ。
【考案の詳細な説明】
【技術分野】
【０００１】
本考案は、電気コネクタに関し、特に、シールドケースの強度を強化する電気コネクタに関する。
【背景技術】
【０００２】
電気コネクタは、パソコン周辺製品及び電子電気製品の中で欠かせないコンポーネントの一つであり、信号伝送の役割を果たす要となり、両設備の間に信号の伝送及び中断を実現するには電気コネクタによって行わなければならない。
従来の一般的な電気コネクタにあっては、絶縁本体、絶縁本体を被覆するシールドケース及び絶縁本体上に固装される端子組を備え、また、電気コネクタを回路基板に容易に半田付けできるようにするため、シールドケースの外側にもう一つのケースが設けられ、当該ケースに６つの固定脚が延在される。これら６つの固定脚は長さが制限されることがないため、電気コネクタの取り付けの利便性向上につながる。
【考案の概要】
【考案が解決しようとする課題】
【０００３】
しかしながら、従来の電気コネクタの構造では、使用者に容易な組立て及び固定を可能とする点で進歩性の要件を満たしているものの、実際に使用する際には、構造上及び性能上不足の点があり、最良の効果に到達していないため、次のような幾つかの問題点が指摘されている。
（１）従来の電気コネクタは固定脚がシールドケースの外側にあるケースから延在されており、これがシールドケース取り付け部の強度不足につながっている。このため、電気コネクタを使用する際に、シールドケースが外力により損壊されると、遮蔽効果を失うため、信号伝送の安定度及び信頼性に影響を与える。
（２）従来の電気コネクタは、トルク試験に合格するために、当該ケースの接続面を重合してリベット打ち加工で結合されるので、シールドの製作過程が煩雑になり、生産及び組立の効率が低下する。
【０００４】
本考案は、このような従来の問題点に鑑みなされたもので、その主な目的は、シールドケースが外力により破損しやすいという欠点を有効に解消し、生産及び組立の効率が低下するという問題点を有効に解決することのできる電気コネクタを提供することにある。
こと、を目的とする。
【課題を解決するための手段】
【０００５】
上記目的を達成するために、本考案の電気コネクタは、絶縁本体、前記絶縁本体を被覆するシールドケース及び前記絶縁本体上に固装される端子組を備え、前記シールドケースは内シールドケースと外シールドケースから形成され、前記内シールドケースが前記外シールドケースに被覆されると共に、前記内シールドケースと前記外シールドケースにはそれぞれ延伸する固定脚を有する、ことを要旨とする。
【０００６】
また、この電気コネクタは、各部に次のような構成を備えることが好ましい。
（１）前記内シールドケースの相対する両側壁の下縁にはそれぞれ、少なくとも一つの第一固定脚が延在し、前記外シールドケースの両側壁の下縁にはそれぞれ、少なくとも一つの第二固定脚が延在する。
（２）前記外シールドケースは第二前壁、第二左壁と第二右壁を備え、前記第二前壁、前記第二左壁及び前記第二右壁がそれぞれ前記内シールドケースに対応する第一前壁、第一左壁及び第一右壁を被覆して接着し、また、前記第一左壁及び前記第一右壁の下縁にそれぞれ二つの前記第一固定脚が下向きに延在するとともに、前記両第一固定脚が前後に等間隔に設けられ、さらに、前記第二左壁及び前記第二右壁の下縁にそれぞれ一つの前記第二固定脚が下向きに延在するとともに、前記第二固定脚が前記両第一固定脚の間に設けられるHDMIコネクタである。
（３）前記外シールドケースは第二前壁、第二左壁と第二右壁を備え、前記第二前壁、前記第二左壁及び前記第二右壁がそれぞれ前記内シールドケースに対応する第一前壁、第一左壁及び第一右壁を被覆して接着し、また、前記第二左壁及び前記第二右壁の下縁にそれぞれ二つの前記第二固定脚が下向きに延在するとともに、前記両第二固定脚が前後に等間隔に設けられ、さらに、前記第一左壁及び前記第一右壁の下縁にそれぞれ一つの前記第一固定脚が下向きに延在するとともに、前記第一固定脚が前記両第二固定脚の間に設けられるHDMIコネクタである。
（４）前記第二左側壁及び前記第二右側壁には、それぞれ内側向きに曲げられ、止め金があり、それらに対応する前記第一左側壁及び前記第一右側壁のところには、それぞれ前記止め金と係合する止め穴が設けられる。
（５）前記第一前壁には外側向きに第一係止突起が設けられ、それに対応する前記第二前壁上に、前記第一係止突起と係合する且つ下向きに開口する第一切欠きが設けられ、前記第一後壁の左右の両側にはそれぞれ上向きに開口する第二切欠きが設けられ、前記第二左側壁及び第二右側壁のそれらに対応するところに、それぞれ前記第二切欠きと係合する第二係止突起が設けられる。
（６）前記第一後壁には折り曲げられ外側向きに延在する固定板を有するとともに、前記固定板に固定穴が設けられる。
（７）前記外シールドケースは第二前壁、第二後壁、第二左壁と第二右壁を備え、前記第二前壁、前記第二後壁、前記第二左壁及び前記第二右壁がそれぞれ前記内シールドケースに対応する第一前壁、第一左壁及び第一右壁を被覆して接着し、また、前記第一左壁及び前記第一右壁の下縁にそれぞれ二つの前記第一固定脚が下向きに延在するとともに、前記両第一固定脚が前後に等間隔に設けられ、さらに、前記第二左壁及び前記第二右壁の下縁にそれぞれ一つの前記第一固定脚が下向きに延在するとともに、前記第二固定脚が前記両第一固定脚の間に設けられるHDMIコネクタである。
（８）前記外シールドケースは第二前壁、第二後壁、第二左壁と第二右壁を備え、前記第二前壁、前記第二後壁、前記第二左壁及び前記第二右壁がそれぞれ前記内シールドケースに対応する第一前壁、第一左壁及び第一右壁を被覆して接着し、また、前記第二左壁及び前記第二右壁の下縁にそれぞれ二つの前記第二固定脚が下向きに延在するとともに、前記両第二固定脚が前後に等間隔に設けられ、さらに、前記第一左壁及び前記第一右壁の下縁にそれぞれ一つの前記第一固定脚が下向きに延在するとともに、前記第一固定脚が前記両第二固定脚の間に設けられるHDMIコネクタである。
（９）前記第二後壁には折り曲げられ外側向きに延在する固定板を有するとともに、前記固定板に固定穴が設けられる。
【考案の効果】
【０００７】
本考案の電気コネクタによれば、上記の各構成により、次のような効果を奏する。
（１）外シールドケースが内シールドケースを被覆することにより形成される2層式のシールドケースであり、かつ、内シールドケース及び外シールドケースにそれぞれ固定脚が延在する構造なので、この電気コネクタの固定脚の長さに制限されること無く容易な組立て及び固定が可能である。それだけでなく、シールドケースの強度が大幅に強化されているため、製品の使用寿命が長くなり、シールドケースが外力による損壊することなく、製品使用中に電磁波干渉の回避が可能で、信号の伝送安定度及び信頼性の向上にもつながる。
（２）前記第二前壁、前記第二左壁及び前記第二右壁がそれぞれ前記内シールドケースに対応する第一前壁、第一左壁及び第一右壁を被覆して接着するとともに、前記止め金と止め穴を組み合わせることにより係合し固定する構造のため、製品の構造が簡単である。したがって、組立てに便利で、生産及び組立の効率向上にもつながるとともに、需要による異なるケースとの組み合わせができ、製品の使い勝てが良いという効果が生じる。
【図面の簡単な説明】
【０００８】
【図１】本考案の第１の実施の形態における電気コネクタを前面側から示す斜視図
【図２】同電気コネクタの各部の構成を前面側から示す分解斜視図
【図３】同電気コネクタを後面側から示す斜視図
【図４】同電気コネクタの各部の構成を後面側から示す分解斜視図
【図５】本考案の第２の実施の形態における電気コネクタを後面側から示す斜視図
【図６】同電気コネクタの各部の構成を後面側から示す分解斜視図
【図７】同電気コネクタを前面側から示す斜視図
【図８】同電気コネクタの各部の構成を前面側から示す分解斜視図
【考案を実施するための形態】
【０００９】
次に、この考案を実施するための形態について図を用いて説明する。なお、この考案の第１、第２の実施の形態では、電気コネクタとして垂直ＨＤＭＩコネクタを例示したが、この考案は垂直ＨＤＭＩコネクタに限定されるものではなく、他の電気コネクタにも適用できることは勿論である。
【００１０】
（実施の形態１）
図１乃至図４に第１の実施の形態を示している。
図１乃至図４に示すように、電気コネクタは、絶縁本体１０、絶縁本体１０を被覆するシールドケース２０及び絶縁本体１０上に固装される端子組３０を備える。
シールドケース２０は電磁波干渉の回避に用いられるもので、このシールドケース２０は内シールドケース２１と外シールドケース２２とにより構成され、内シールドケース２１が外シールドケース２２に被覆される２層構造になっている。
また、これら内シールドケース２１、外シールドケース２２にそれぞれ延伸する固定脚を有する。固定脚は第１固定脚２０１と第２固定脚２０２とからなり、第１固定脚２０１が内シールドケース２１に延在され、第２固定脚２０２が外シールドケース２２に延在され、第１固定脚２０１と第２固定脚２０２がそれぞれ回路基板４０に挿接され、半田付けにより固定されるようになっている。
【００１１】
内シールドケース２１は第１前壁２１１、第１後壁２１２、第１左壁２１３及び第１右壁２１４を備える。これに対して、外シールドケース２２は第２前壁２２１、第２左壁２２２及び第２右壁２２３を備える。外シールドケース２２の第２前壁２２１、第２左壁２２２及び第２右壁２２３がそれぞれ、対応する内シールドケース２１の第１前壁２１１、第１左壁２１３及び第１右壁２１４を被覆して接着されることで、２層式の構造となる。これにより、シールドケース２０の構造強度が強化されて、外力により損壊することがない。
この場合、内シールドケース２１の第１左壁２１３及び第１右壁２１４の下縁にそれぞれ、２つの第１固定脚２０１が前後に等間隔に下向きに延在され、外シールドケース２２の第２左壁２２２及び第２右壁２２３の下縁にそれぞれ、一つの第２固定脚２０２が各第１固定脚２０１の間で下向きに延在されて、Ｅ字形の構造になっている。
なお、ここでは、特に図示していないが、第２左壁２２２及び第２右壁２２３の下縁にそれぞれ、２つの第２固定脚２０２が前後に等間隔に下向きに延在され、これに対応して第１左壁２１３及び第１右壁２１４の下縁にそれぞれ、１つの第一固定脚２０１が各第２固定脚２０２の間で下向きに延在されて、シールドケース２０の相対する両側壁の下縁にそれぞれ３つの固定脚が延在されるようにしてもよい。
【００１２】
第２左壁２２２及び第２右壁２２３はそれぞれ後部側の側縁部が内側向きに曲げられる。これら第２左壁２２２、第２右壁２２３にそれぞれ、止め金２０３が形成され、第１左壁２１３及び第１右壁２１４の止め金２０３に対応するところにそれぞれ、止め金２０３と係合される止め穴２０４が設けられる。また、第１前壁２１１に外側向きに第１係止突起２０５が設けられ、第２前壁２２１上の第１係止突起２０５に対応するところに、下向きに開口し第１係止突起２０５と係合される第１切欠き２０６が設けられる。さらに、第１後壁２１２の左右の両側にそれぞれ上向きに開口する第２切欠き２０７が設けられ、第２左壁２２２及び第２右壁２２３の第２切欠き２０７に対応するところにそれぞれ、第２切欠き２０７と係合される第２係止突起２０８が設けられる。これら第１係止突起２０５と第１切欠き２０６との係合、第２切欠き２０７と第２係止突起２０８との係合により、外シールドケース２２とこれに対応する内シールドケース２１が上下を位置決めされる。
【００１３】
さらに、第１前壁２１１と第１後壁２１２にそれぞれ、挿抜力を高めるのに用いられる弾性片１０１が設けられるとともに、第２前壁２２１に弾性片１０１のための変形空間として讓位槽１０２が設けられる。この場合、讓位槽１０２は通し槽であるが、通し槽に制限されない。また、第１後壁２１２には外側向きに折り曲げられ延在される固定板１０３を有し、この固定板１０３に固定穴１０４が設けられる。この固定穴１０４にネジを通し、このネジを以って外部デバイスに螺接することにより、シールドケース２０を外部デバイスに固定する。
【００１４】
この電気デバイスを組立てる際は、端子組３０を絶縁本体１０上に固装する。そして、内シールドケース２１が絶縁本体１０を被覆するように内シールドケース２１を上から下へと絶縁本体１０上に環装する。さらに、外シールドケース２２を上から下へと内シールドケース２１に環装する。これにより、第１前壁２１１、第１左壁２１３及び第１右壁２１４がそれぞれ対応する第２前壁２２１、第２左壁２２２及び第２右壁２２３に被覆されて、第１係止突起２０５と第１切欠き２０６との嵌合により位置決めされ、第２係止突起２０８と第２切欠き２０７との嵌合により位置決めされると同時に、止め金２０３と止め穴２０４が係合される。
【００１５】
この電気デバイスを使用する際は、まず、第１固定脚２０１と第２固定脚２０２をそれぞれ回路基板４０に挿接し半田付けにより固定する。また、端子組３０の各半田付け接続部を回路基板４０に半田付けで接続する。そして最後に、固定板１０３の固定穴１０４にネジを通し、ネジを以って外部デバイスに螺接することにより、外部デバイスに接続し固定する。
【００１６】
（実施の形態２）
図５乃至図８に第２の実施の形態を示している。この実施の形態の電気コネクタの構造は、第１実施の形態のものとほぼ同様なので、ここでは、第１実施の形態の構造と異なるいくつかの点についてのみ説明することにする。
図５乃至図８に示すように、外シールドケース２２は第２後壁２２４を備え、第２後壁２２４は対応する第一後壁２１２を被覆して接着される。この第２後壁２２４には弾性片１０１のための変形空間として讓位槽１０２が設けられる。また、この第２後壁２２４には外側向きに折り曲げられ延在される固定板１０３を有し、この固定板１０３に同様に固定穴１０４が設けられる。そして、第１左壁２１３及び第１右壁２１４にそれぞれ第２切欠き２０７が設けられ、第２左壁２２２及び第２右壁２２３の第２切欠き２０７に対応するところに第２係止突起２０８が設けられる。
【００１７】
なお、この電気コネクタの組立過程及び使用方法は、第１実施の形態の場合と基本的に同様なので、ここでそれ以上は述べないことにする。
【００１８】
以上の各実施の形態から明らかなように、本考案の電気コネクタについて特筆すべき点は、まず、内シールドケースが外シールドケースに被覆されて形成される２層式のシールドケースを備え、内シールドケース及び外シールドケースにそれぞれ固定脚が延在される構造を採っているので、この電気コネクタの固定脚は長さが制限されることが無く、容易な組立て及び固定が可能である。次に、シールドケースは強度が大幅に強化されるため、製品の使用寿命が長くなり、シールドケースが外力により損壊することがなく、製品使用中に電磁波の干渉を回避することができ、信号の伝送安定度及び信頼性の向上につながる。そして、外シールドケースの第２前壁、第２左壁及び第２右壁がそれぞれ、これに対応する内シールドケースの第１前壁、第１左壁及び第１右壁を被覆して接着されるとともに、止め金と止め穴の組み合わせにより係合し固定される構造のため、製品の構造が簡単である。したがって、組立てが便利で、生産及び組立の効率向上にもつながるとともに、需要により異なるケースとの組み合わせができ、製品の使い勝てが良いという効果が得られる。
【００１９】
なお、上述では本考案の好ましい実施例を開示したに過ぎず、それを以って、本考案の実用新案登録請求の範囲が制限されることは無く、本考案の思想を逸脱することなく本考案の技術案に対する改造やそれと同じ置き換えを行っても、それはすべて本考案の範囲に含まれるものである。
【符号の説明】
【００２０】
１０  絶縁本体
２０  シールドケース
２１  内シールドケース
２１１  第１前壁
２１２  第１後壁
２１３  第１左壁
２１４  第１右壁
２２  外シールドケース
２２１  第２前壁
２２２  第２左壁
２２３  第２右壁
２２４  第２後壁
２０１  第１固定脚
２０２  第２固定脚
２０３  止め金
２０４  止め穴
２０５  第１係止突起
２０６  第１切欠き
２０７  第２切欠き
２０８  第２係止突起
１０１  弾性片
１０２  讓位槽
１０３  固定板
１０４  固定穴
３０  端子組
４０  回路基板
【図１】
0003177912.tif 000003
【図２】
0003177912.tif 000004
【図３】
0003177912.tif 000005
【図４】
0003177912.tif 000006
【図５】
0003177912.tif 000007
【図６】
0003177912.tif 000008
【図７】
0003177912.tif 000009
【図８】
0003177912.tif 000010